(57)【要約】【課題】各種電子機器に用いられるタッチパネルに関し、シート剥離や製作が容易で、安価で視認性の良好なものを提供することを目的とする。【解決手段】上基板１上面または下基板２下面の少なくとも一方に貼付されたシート９右端の引出部９Ａを、上下基板の外周から突出させることによって、シート９の形状が略矩形であるため、裁断加工等によって容易にシートの製作が行えると共に、剥離時の破損等も生じづらく、安価で視認性の良好なタッチパネルを得ることができる。【選択図】図１
2007213302.tif 000002
【特許請求の範囲】
【請求項１】
下面に上導電層が形成された光透過性の上基板と、上面に上記上導電層と所定の間隙を空けて対向する下導電層が形成された光透過性の下基板と、上記上基板上面または下基板下面の少なくとも一方に貼付されたシートからなり、上記シートの一端を上記上下基板の外周から突出させたタッチパネル。
【請求項２】
複数のシートを上基板上面及び下基板下面に貼付すると共に、上記複数のシート端部を異なる方向に突出させた請求項１記載のタッチパネル。
【発明の詳細な説明】
【技術分野】
【０００１】
本発明は、主に各種電子機器の操作に用いられるタッチパネルに関するものである。
【背景技術】
【０００２】
近年、携帯電話やカーナビ等の各種電子機器の高機能化や多様化が進むに伴い、液晶等の表示素子の前面に光透過性のタッチパネルを装着して、このタッチパネルを通して背面の表示素子の表示を視認しながら、指やペン等でタッチパネルを押圧操作することによって、機器の各機能の切換えを行うものが増えており、視認性に優れ操作の行い易いものが求められている。
【０００３】
このような従来のタッチパネル及びこれを用いた入力装置について、図４及び図５を用いて説明する。
【０００４】
なお、構成を判り易くするために、図面は厚さ方向の寸法を拡大して表している。
【０００５】
図４は従来のタッチパネルの断面図、図５は同平面図であり、同図において、１はフィルム状で光透過性の上基板、２は同じく光透過性の下基板で、上基板１の下面には酸化インジウム錫等の光透過性の上導電層３が、下基板２の上面には同じく下導電層４が各々形成されている。
【０００６】
そして、下導電層４上面には絶縁樹脂によって、複数のドットスペーサ（図示せず）が所定間隔で形成されると共に、上導電層３の両端には一対の上電極（図示せず）が、下導電層４の両端には、上電極とは直交方向の一対の下電極（図示せず）が各々形成されている。
【０００７】
また、５は略額縁状のスペーサで、このスペーサ５の上下面に塗布形成された接着層（図示せず）によって、上基板１と下基板２の外周が貼り合わされ、上導電層３と下導電層４が所定の間隙を空けて対向している。
【０００８】
さらに、６はフィルム状のシートで、右端中央には上基板１や下基板２の外周から外方へ突出する舌片部６Ａが形成されると共に、下面に塗布された接着層（図示せず）によって、このシート６が上基板１上面に貼付されて、タッチパネルが構成されている。
【０００９】
なお、このシート６は上基板１上面の傷や汚れを防ぐためのもので、上記のようなタッチパネルは通常、数十個が一つに梱包されて保管や搬送が行われるため、この保管・搬送時に生じる傷や汚れによる視認性の劣化を防止するために、上基板１上面にシート６が貼付されている。
【００１０】
そして、このように構成されたタッチパネルは、保管・搬送後、舌片部６Ａを指でつまみシート６を剥がして、液晶表示素子等の前面に配置されると共に、一対の上電極と下電極が機器の電子回路（図示せず）に接続されて、電子機器に装着される。
【００１１】
以上の構成において、タッチパネル背面の表示素子の表示を視認しながら、上基板１上面を指或いはペン等で押圧操作すると、上基板１が撓み、押圧された箇所の上導電層３が下導電層４に接触する。
【００１２】
そして、電子回路から上電極と下電極へ順次電圧が印加され、これらの電極間の電圧比によって、押圧された箇所を電子回路が検出し、機器の様々な機能の切換えが行われるように構成されているものであった。
【００１３】
なお、この出願の発明に関連する先行技術文献情報としては、例えば、特許文献１が知られている。
【特許文献１】特開２００５−２７４６６７号公報
【発明の開示】
【発明が解決しようとする課題】
【００１４】
しかしながら、上記従来のタッチパネルにおいては、シート６を剥離する際、図５に示すように、指でつまんだ舌片部６Ａの根元に裂断Ａが生じる場合があるため、シート６が破損して剥がしづらくなると共に、舌片部６Ａが突出した矩形であるため、このシート６の外形形状に合わせ、切刃を配列したトムソン加工等によって製作を行う必要があり、製作に時間を要し高価なものになるという課題があった。
【００１５】
本発明は、このような従来の課題を解決するものであり、シート剥離や製作が容易で、安価なタッチパネルを提供することを目的とする。
【課題を解決するための手段】
【００１６】
上記目的を達成するために本発明は、以下の構成を有するものである。
【００１７】
本発明の請求項１に記載の発明は、上基板上面または下基板下面の少なくとも一方に貼付されたシートの一端を、上下基板の外周から突出させてタッチパネルを構成したものであり、シートの形状が略矩形であるため、裁断加工等によって容易にシートの製作が行えると共に、剥離時の破損等も生じづらく、安価で視認性の良好なタッチパネルを得ることができるという作用を有する。
【００１８】
請求項２に記載の発明は、請求項１記載の発明において、複数のシートを上基板上面及び下基板下面に貼付すると共に、複数のシート端部を異なる方向に突出させたものであり、上基板及び下基板の上下面にシートを貼付することによって、保管・搬送時に生じる傷や汚れによる視認性の劣化を防ぐと共に、上下シートの剥離を容易に行うことができるという作用を有する。
【発明の効果】
【００１９】
以上のように本発明によれば、シート剥離や製作が容易で、安価なタッチパネルを実現することができるという有利な効果が得られる。
【発明を実施するための最良の形態】
【００２０】
以下、本発明の実施の形態について、図１〜図３を用いて説明する。
【００２１】
なお、構成を判り易くするために、図面は厚さ方向の寸法を拡大して表している。
【００２２】
また、背景技術の項で説明した構成と同一構成の部分には同一符号を付して、詳細な説明を簡略化する。
【００２３】
（実施の形態）
図１は本発明の一実施の形態によるタッチパネルの断面図、図２は同平面図であり、同図において、１はポリエチレンテレフタレートやポリカーボネート等のフィルム状で光透過性の上基板、２はガラスまたはアクリル、ポリカーボネート等の光透過性の下基板で、上基板１の下面には酸化インジウム錫や酸化錫等の光透過性の上導電層３が、下基板２の上面には同じく下導電層４がスパッタ法等によって各々形成されている。
【００２４】
そして、下導電層４上面にはエポキシやシリコン等の絶縁樹脂によって、複数のドットスペーサ（図示せず）が所定間隔で形成されると共に、上導電層３の両端には銀やカーボン等の一対の上電極（図示せず）が、下導電層４の両端には、上電極とは直交方向の一対の下電極（図示せず）が各々形成されている。
【００２５】
また、５は不織布やポリエステルフィルム等の略額縁状のスペーサで、このスペーサ５の上下面に塗布形成されたアクリル等の接着層（図示せず）によって、上基板１と下基板２の外周が貼り合わされ、上導電層３と下導電層４が所定の間隙を空けて対向している。
【００２６】
さらに、９は略矩形でポリエステルやポリエチレンテレフタレート等のフィルム状のシートで、左右方向の寸法が上基板１や下基板２の外周よりもやや大きく形成され、右端の引出部９Ａが上下基板の外周から突出している。
【００２７】
そして、このシート９が下面に塗布されたアクリルやシリコン、ウレタン、オレフィン系の接着層（図示せず）によって、上基板１上面に貼付され、保管や搬送時の上基板１上面の傷や汚れを防ぎ、視認性の劣化を防止するようにして、タッチパネルが構成されている。
【００２８】
なお、このシート９は左右方向が上基板１や下基板２の外周よりもやや大きな寸法で、略矩形の単純な外形形状となっているため、例えば、所定幅のロール状のフィルムを連続して裁断加工するだけで、容易に製作できるように形成されている。
【００２９】
そして、このように構成されたタッチパネルは、保管・搬送後、引出部９Ａを指でつまみシート９を剥がして、液晶表示素子等の前面に配置されると共に、一対の上電極と下電極が機器の電子回路（図示せず）に接続されて、電子機器に装着される。
【００３０】
なお、この時、シート９は右端の引出部９Ａが、上下方向の幅全体が上基板１や下基板２の外周から突出して、上基板１上面に貼付されているため、指でつかみ易く、また、剥離する際に裂断や破損が生じづらいようになっている。
【００３１】
以上の構成において、タッチパネル背面の表示素子の表示を視認しながら、上基板１上面を指或いはペン等で押圧操作すると、上基板１が撓み、押圧された箇所の上導電層３が下導電層４に接触する。
【００３２】
そして、電子回路から上電極と下電極へ順次電圧が印加され、これらの電極間の電圧比によって、押圧された箇所を電子回路が検出し、機器の様々な機能の切換えが行われるように構成されている。
【００３３】
このように本実施の形態によれば、上基板１上面に貼付されたシート９右端の引出部９Ａを、上下基板の外周から突出させることによって、シート９の形状が略矩形であるため、裁断加工等によって容易にシートの製作が行えると共に、剥離時の破損等も生じづらく、安価で視認性の良好なタッチパネルを得ることができるものである。
【００３４】
なお、以上の説明では、上基板１上面にのみシート９を貼付した構成について説明したが、下基板２下面に引出部９Ａを突出させてシート９を貼付した構成や、或いは、上基板１上面と下基板２下面の両方にシート９を貼付した構成としても、本発明の実施は可能である。
【００３５】
そして、複数のシート９を上基板１上面及び下基板２下面に貼付する場合には、図３の断面図に示すように、例えば、上側のシート９は右端の引出部９Ａを上基板１の外周から、下側のシート９は左端の引出部９Ａを下基板２の外周から、各々異なる方向に突出させることによって、上下基板共に傷や汚れによる視認性の劣化を防ぐことができると共に、剥離の際、上下の引出部９Ａが邪魔になることなく、容易に剥離を行うことができる。
【産業上の利用可能性】
【００３６】
本発明によるタッチパネルは、シート剥離や製作が容易で、安価で視認性の良好なものを得ることができるという有利な効果を有し、各種電子機器の操作用として有用である。
【図面の簡単な説明】
【００３７】
【図１】本発明の一実施の形態によるタッチパネルの断面図
【図２】同平面図
【図３】同他の実施の形態による断面図
【図４】従来のタッチパネルの断面図
【図５】同平面図
【符号の説明】
【００３８】
１  上基板
２  下基板
３  上導電層
４  下導電層
５  スペーサ
９  シート
９Ａ  引出部
【図１】
2007213302.tif 000003
【図２】
2007213302.tif 000004
【図３】
2007213302.tif 000005
【図４】
2007213302.tif 000006
【図５】
2007213302.tif 000007